(57)【要約】【課題】  ロータンクの手洗い部に載置され、カランから給水されることにより薬液を吐出させる薬液吐出容器において、薬液を溶解した水が手洗い部にたまらないようにし、より単純な構造で低コストに得られるようにする【解決手段】  薬液吐出容器１００Ａが、薬液を収容する薬液タンク１、薬液タンク１の下方に設けられた薬液吐出ノズル４、及び薬液吐出ノズル４の先端開口部５の近傍に配置された多孔質部材１１からなる。この薬液吐出容器１００Ａは、水洗トイレのロータンクの手洗い部２０に載置され、薬液吐出ノズル４の先端開口部５が手洗い部２０に供給された水で洗われ、薬液吐出ノズル４を通して薬液タンク１から薬液Ａを吐出する。この多孔質部材１１の水通過率は２０％〜９５％とする。【選択図】    図１
2005061129.tif 000002
【特許請求の範囲】
【請求項１】
薬液を収容する薬液タンク、薬液タンクの下方に設けられた薬液吐出ノズル、及び薬液吐出ノズルの先端開口部の近傍に配置された多孔質部材からなり、水洗トイレの手洗い付きロータンクの手洗い部に載置され、薬液吐出ノズルの先端開口部が手洗い部に供給された水で洗われ、薬液吐出ノズルを通して薬液タンクから薬液が吐出される薬液吐出容器であって、多孔質部材の水通過率が２０％〜９５％である薬液吐出容器。
【請求項２】
薬液吐出ノズルの先端開口部に対する多孔質部材の対向面積が、該先端開口部の開口面積より広い請求項１記載の薬液吐出容器。
【請求項３】
多孔質部材が、セル数５〜５０個／２５ｍｍの合成樹脂連続気泡フォームである請求項１又は２記載の薬液吐出容器。
【請求項４】
多孔質部材が、三次元構造の骨格組織を有する織布、不織布、金属繊維集合体からなる請求項１又は２記載の薬液吐出容器。
【請求項５】
薬液タンクを、水洗トイレの手洗い付きロータンクの手洗い部の排水口上に載置した場合に、多孔質部材が、排水口下のロータンク内に位置するように保持されている請求項１〜４のいずれかに記載の薬液吐出容器。
【請求項６】
請求項１〜５のいずれかに記載の薬液吐出容器にトイレ洗浄液が充填されてなるトイレ洗浄製品。
【発明の詳細な説明】
【技術分野】
【０００１】
本発明は、水洗トイレの手洗い付きロータンクの手洗い部に載置し、手洗い部の上方のカランからの給水により、ロータンク内に薬液（芳香剤、洗浄剤、殺菌剤等）を吐出する薬液吐出容器に関する。
【背景技術】
【０００２】
水洗トイレの手洗い付きロータンクの手洗い部に載置し、手洗い部の上方のカランから供給される水に薬液（芳香剤、洗浄剤、殺菌剤等）を混合するために用いる薬液吐出容器として、特許文献１に記載されているオンタンク式水洗トイレ用液体芳香洗浄剤装置が知られている。この液体芳香洗浄剤装置は、薬液を収容する薬液タンクの底部に薬液の吐出口を設け、その吐出口の下方近傍に、薬液を浸透させて保持する浸透部を設けたものである。この浸透部は、円盤状に成形し、手洗い部の排水口上に保持してもよく（同文献第１図）、あるいは長尺に成形し、吐出口近傍から排水口内部に達するように保持してもよく（同文献第２図）、いずれの場合も、カランから手洗い部に供給される水が浸透部上を直接的に流れ、浸透部内に保持されていた薬剤を溶解し、ロータンク内に流入させる。
【０００３】
また、特許文献２には、薬液を収容する薬液タンクの底部に薬液の導出孔を設け、その導出孔から薬液を含浸体に導出させると共に、カランから手洗い部に供給された水を邪魔板を用いて含浸体に誘導し、その水で含浸体に導出されている薬剤を溶解させ、ロータンク内に流下させる水洗トイレ用薬剤供給具が提案されている。
【０００４】
【特許文献１】特開平２−２２９３３３号公報
【特許文献２】特開２００１−３４２６６５号公報
【発明の開示】
【発明が解決しようとする課題】
【０００５】
しかしながら、上述の特開平２−２２９３３３号公報の第１図の薬液吐出容器や、特開２００１−３４２６６５号公報の薬液吐出容器では、薬剤を溶解した水が手洗い部に流下あるいは流出し、広がるため、手洗い部に薬剤の成分によるシミや色素が残り、外観が損なわれやすい。また、特開平２−２２９３３３号公報の第２図の薬液吐出容器では、浸透部の先端はロータンク内に位置しているものの、浸透部が手洗い部の排水口の開口面積を狭めるので、この場合にも薬剤を溶解した水が手洗い部に広がり、手洗い部にシミが残りやすい。
【０００６】
さらに、特開２００１−３４２６６５号公報の薬液吐出容器は、構造が複雑であり、製造コストが高くつく。
【０００７】
これに対し、より単純な機構のものとしては、図７（ａ）に示すように、薬液Ａを収容する薬液タンク１と薬液タンク１の底部開口部２に取り付けたキャップ３からなり、キャップ３に薬液吐出ノズル４と足６を設けた薬液吐出容器１００ｘが考えられる。薬液吐出ノズル４の先端開口部５には、薬液Ａが、表面張力と薬液タンク１内が弱い負圧状態になることにより保持される。
【０００８】
図７（ｂ）に示すように、この薬液吐出容器１００ｘを、ロータンクの手洗い部２０の排水口２１上に載置し、水洗トイレの水をフラッシュさせることによりカランから手洗い部２０に矢印のように水Ｗが供給されると、その水Ｗは薬液Ａを保持した薬液吐出ノズル４を洗うようにしてロータンク内に流下するので、これにより薬液Ａが手洗い部に広がることなくロータンク内に混入する。また、カランからの給水が止まった後においても、給水時に比して薬液タンク内の温度が上がり、ヘッドスペースが膨張することによって薬液Ａが吐出され、ロータンク内に混入する場合もある。したがって、この薬液吐出容器１００ｘによれば、単純な機構で薬液Ａをロータンク内に混入させることが可能となり、薬剤を溶解した水が手洗い部に広がり、そこにシミを作ることも防止される。
【０００９】
しかしながら、図８に示すように、手洗い部２０の排水口２１の口径が大きいと、薬液吐出ノズル４の先端開口部５に水がかかりにくくなるため、薬液が吐出しない場合がある。また、トイレの設置状況により、カランから給水される水の水圧や水量が異なり、カランと薬液吐出容器との位置関係も異なるため、薬液吐出ノズル４が殆ど水で洗われず、薬液が吐出されないという事態や、反対に過剰に吐出されるという事態も起こる。
【００１０】
そこで、本発明は、ロータンクの手洗い部に載置され、カランから給水されることにより薬液を吐出させる薬液吐出容器において、薬液を溶解した水が手洗い部にたまることなく、ロータンク内に流下するようにすること、及びかかる薬液吐出容器を、より単純な構造で低コストに得られるようにすることを目的とする。
【課題を解決するための手段】
【００１１】
本発明者は、薬液タンクの下方に設けられた薬液吐出ノズルが、カランから給水された水で洗われ、薬液を吐出させる薬液吐出容器において、薬液吐出ノズルの先端近傍に特定の水通過率を有する多孔質部材を配置すると、この薬液吐出容器を水洗トイレのロータンクの手洗い部に載置した場合に、排水口の口径の大小に関わらず、カランから供給された水が多孔質部材に当たり、多孔質部材の表面と内部を流れ、薬液吐出ノズルの先端開口部を洗うので、薬液が安定的に吐出することを見出した。また、この多孔質部材は、速やかに水を通過させるので、排水口に流れ込む水の流れを大きく妨げることはなく、したがって、薬液を溶解した水が手洗い部に広がることはなく、これにより、手洗い部が薬液のシミで汚れることを防止できることを見出した。
【００１２】
即ち、本発明は、薬液を収容する薬液タンク、薬液タンクの下方に設けられた薬液吐出ノズル、及び薬液吐出ノズルの先端開口部の近傍に配置された多孔質部材からなり、水洗トイレの手洗い付きロータンクの手洗い部に載置され、薬液吐出ノズルの先端開口部が手洗い部に供給された水で洗われ、薬液吐出ノズルを通して薬液タンクから薬液が吐出される薬液吐出容器であって、多孔質部材の水通過率が２０％〜９５％である薬液吐出容器を提供する。
【００１３】
また、本発明は、上述の薬液吐出容器にトイレ洗浄液が充填されてなるトイレ洗浄製品を提供する。
【発明の効果】
【００１４】
本発明の薬液吐出容器は、薬液を収容する薬液タンク、薬液タンクの下方に設けられた薬液吐出ノズル、及び薬液吐出ノズルの先端近傍に配置された多孔質部材からなり、簡単な構造を有する。したがって、低コストで製造することができる。
【００１５】
また、本発明で使用する多孔質部材は、薬液吐出ノズルの先端開口部の近傍にあって、該先端開口部より広がりを有し、特定の水通過性を有する。このため、本発明の薬液吐出容器を水洗トイレのロータンクの手洗い部に載置して用いた場合に、カランから水が供給されると、その水は、多孔質部材に当たり、多孔質部材の表面と内部を流れるので、この多孔質部材に誘導された水で薬液吐出ノズルの先端開口部が、手洗い部の排水口の径の大小や、水圧、水量の大小に関わらず確実にに洗われ、薬液が安定的に吐出されるようになる。
【００１６】
また、本発明で使用する多孔質部材が特定の水通過性を有するため、この多孔質部材が手洗い部の排水口上あるいは排水口内に位置しても、排水口に流れ込む水の流れが大きく妨げられることはなく、薬液を溶解した水が手洗い部に広がることはない。したがって、手洗い部が薬液のシミで汚れることを防止できる。
【発明を実施するための最良の形態】
【００１７】
以下、図面を参照しつつ、本発明を詳細に説明する。なお、各図中、同一符号は同一又は同等の構成要素を表している。
【００１８】
図１は、本発明の一態様の薬液吐出容器１００Ａに薬液Ａを充填したトイレ洗浄用品２００Ａを正面から見た部分切り欠き断面図（ａ）、上面図（ｂ）、及び底面図（ｃ）であり、図２は、このトイレ洗浄用品２００Ａをロータンクの手洗い部に載置し、カランから水が給水されている状態の断面図である。
【００１９】
この薬液吐出容器１００Ａは、薬液タンク１と、薬液タンク１の底部開口部２に取り付けられたキャップ３からなる。キャップ３の底部には、薬液吐出ノズル４と足６が該キャップ３と一体に形成され、さらに多孔質部材１１の保持部材１２が固定されている。保持部材１２は、環状の保持板１２ａとこの保持板１２ａをキャップ３に吊す保持棒１２ｂからなり、この保持部材１２によって、薬液吐出ノズル４の先端開口部５の近傍に多孔質部材１１が保持されている。
【００２０】
薬液タンク１には、トイレ用芳香剤、洗浄剤、殺菌剤等の薬液Ａが充填されている。この薬液Ａとしては、粘度（２０℃）が１〜３０００ｍＰａ・ｓのものを使用し、好ましくは１０〜１０００ｍＰａ・ｓのものを使用する。なおこの粘度は、Ｂ型粘度計（６０ｒｐｍ）により測定される値である。粘度が低すぎると、薬液Ａが過度に吐出されやすくなり、反対に粘度が高すぎると薬液Ａの流動性が低下し、吐出されなくなるが、１〜３０００ｍＰａ・ｓとすることにより、適度に薬液を薬液吐出ノズル４から吐出させることが可能となる。
【００２１】
さらに薬液Ａとしては、水道水に含まれる塩素に対して耐性があり、人体に安全な青色、緑色等の着色剤を含有するものが好ましい。この薬液吐出容器１００Ａにおいては、薬液タンク１から吐出された薬液Ａとカランから供給された水とが置換し、薬液タンク１内の薬液が水で希釈されていくことがあるが、薬液Ａを着色しておくことにより、薬液タンク１内の薬液Ａの色が希釈により変化していく様子を薬液タンク１外から観察することが可能となる。したがって、薬液タンク１としては、薬液Ａの希釈による色の変化を薬液タンク１外から観察できるように、透明又は半透明材料から形成されているものが好ましい。
【００２２】
薬液吐出ノズル４は、その先端開口部５の口径を０．５〜１０ｍｍとすることが好ましい。これにより、先端開口部５に薬液Ａが、表面張力と薬液タンク１内が弱い負圧になることにより保持される。これに対し、口径が小さすぎると薬液Ａが吐出されにくく、大きすぎるとカランからの給水が停止している間に薬液吐出ノズル４を通して薬液Ａと空気の置換が連続的に起こり、トイレの使用の有無に関わらず、薬液Ａが速やかに無くなってしまう。
【００２３】
この薬液吐出容器１００Ａにおいては、薬液吐出ノズル４の先端開口部５の近傍に多孔質部材１１が配置され、その多孔質部材１１が特定の水通過率を有することを特徴としている。
【００２４】
ここで、薬液吐出ノズル４の先端開口部５の近傍に多孔質部材１１が配置されているとは、カランから水が供給され、その水が多孔質部材１１に当たり、多孔質部材１１の表面と内部を流れたときに、多孔質部材１１上を流れる水に先端開口部５が接する距離に、先端開口部５と多孔質部材１１とが配置されていることをいう。この場合、薬液吐出ノズル４の先端開口部５と多孔質部材１１とは、離れていても接していてもよい。さらには、先端開口部５が多孔質部材１１で塞がれていてもよい。薬液吐出ノズル４の先端開口部５が多孔質部材１１で塞がれていても、本発明で使用する多孔質部材１１は、水通過率が特定の範囲にあり、水を通過させやすいため、薬液吐出ノズル４からの薬液Ａの吐出が妨げられることはない。
【００２５】
したがって、薬液吐出ノズル４の先端開口部５と多孔質部材１１との距離は、多孔質部材１１の上を流れる水が薬液吐出ノズル４の先端開口部５に接することができる距離、具体的には、０〜１０ｍｍとすることが好ましい。また、薬液吐出ノズル４の先端開口部５と多孔質部材１１が接している場合には、カランから供給された水が先端開口部５を直接的に洗うことが多孔質部材１１によって妨げられ、先端開口部５は多孔質部材１１内を通過した水で洗われることになるので、薬液吐出ノズル４の先端開口部５は多孔質部材１１と接していない方がより好ましいが、接している場合には、水通過率の高い多孔質部材１１を用いる。なお、薬液吐出ノズル４の先端開口部５と多孔質部材１１が接していても、先端開口部５の薬液表面は、平衡状態では先端開口部５の縁から凹んだ状態となるので、常時薬液が多孔質部材にしみ出していくことはない。
【００２６】
多孔質部材１１の水通過率は、２０〜９５％とし、好ましくは７０〜９０％とする。多孔質部材１１の水通過率が低すぎると、カランから供給されて排水口２１に流れ込む水の流れの妨げとなり、薬液を溶解した水が手洗い部２０に広がり、手洗い部２０に薬液のシミがつきやすくなるので好ましくない。また、カランから供給された水の流れは水通過率の低い多孔質部材１１の表面に限定され、多孔質部材１１内部の流れが少なくなり、薬液吐出ノズル４の先端開口部５と多孔質部材１１とが接している場合に、先端開口部５への水の流量が少なくなり好ましくない。反対に、多孔質部材１１の水通過率が高すぎると、カランからの給水時に、多孔質部材１１の表面を流れる水が少なく、その水で薬液吐出ノズル４の先端開口部５を洗うことが困難となる。そのため、カランから給水されても、薬液吐出ノズル４に沿って流下した水が直接的に先端開口部５に当たらない限り、薬液Ａが先端開口部５から水で洗い流されてロータンクに混入することはなく、薬液Ａの吐出量が、排水口の口径の大小、水圧や水量の大小などにより不安定となる。
【００２７】
ここで、水通過率は、次のようにして測定される値である。図９（ａ）のように、開口径Ｄ１＝９５ｍｍ、排水ノズルの外径Ｄ２＝２１ｍｍ、排水口３１の口径Ｄ３＝１０ｍｍ、高さＬ１＝６５ｍｍ、排水ノズル部分の高さＬ２＝２２ｍｍのロート３０の排水口３１上に同図（ｂ）のように直径２０ｍｍの試験片３２を固定し、注水高さＬ３＝６０ｍｍが維持されるようにロート３０の上部から注水し、１分間に排水口３１を通過した水量を測定する。一方、試験片３２を用いることなく、同様に１分間に排水口３１を通過した水量を測定し、次式（１）により水通過率（％）を求める。
【００２８】
［数１］
水通過率（％）＝（［排水口上に試料がある場合の１分間の通過水量］／［排水口上に試料が無い場合の１分間の通過水量］）×１００                  式（１）
【００２９】
このような水通過率を有する多孔質部材１１の形成材料としては、例えば、ポリウレタン、ポリエチレン、ナイロン、メラミン等の合成樹脂の連続気泡フォーム、ハニカム状、メッシュ状、網状等の層からなる３次元骨格組織を有する織布、不織布、金属繊維集合体等をあげることができる。中でもセル数５〜５０個／２５ｍｍの連続気泡ウレタンフォームが好ましい。
【００３０】
また、多孔質部材１１が薬液吐出ノズル４の先端開口部５に対向する面の面積は、カランから供給された水が薬液吐出ノズル４の先端開口部５に直接当たらなくても、多孔質部材１１に当たることにより先端開口部５が確実に水で洗われるように、先端開口部５の開口面積よりも広くすることが好ましく、また、図２に示すように、薬液吐出容器１００Ａを水洗トイレの手洗い付きロータンクの手洗い部２０の排水口２１上に載置した場合に、多孔質部材１１を排水口２１に挿入できるように、排水口２１の口径より多孔質部材１１の口径を小さくすることが好ましい。この多孔質部材１１の面積の好ましい大きさは、具体的には、排水口２１の口径、薬液吐出ノズル４の長さ等に応じて異なるが、一般に、排水口２１の口径は最小で１．６ｃｍ程度であるため、先端開口部５を狭い口径の排水口内にも配置できるように、先端開口部５に対向する多孔質部材１１の面積は２ｃｍ2以下とすることが好ましい。
【００３１】
この薬液吐出容器１００Ａは、図２に示したように、水洗トイレの手洗い付きロータンクの手洗い部２０の排水口２１上に載置した場合に、多孔質部材１１が、排水口２１の下のロータンク内に位置するように、多孔質部材１１の保持棒１２ｂや足６の長さが調整されている。したがって、この薬液吐出容器１００Ａにおいては、多孔質部材１１が、水通過率２０％以上という点だけでなく、その設置位置の点からも、排水口２１に流れ込む水の流れを妨げることは全くなく、薬液Ａを溶解した水は手洗い部２０に溜まらずに直ちにロータンク内に流下する。よって、薬液Ａを溶解した水で手洗い部２０にシミができることが完全に防止される。
【００３２】
薬液タンク１上には、着脱自在に天板１０が設けられている。この天板１０は、本発明において、カランの水が薬液吐出容器１００Ａの真上から供給される場合に、水Ｗが薬液タンク１に直接的に当たることを防止し、それにより、薬液タンク１からの薬液Ａの吐出量を、水温あるいは気温の変動によらず、安定化させるため、必要に応じて設けられる。また、カランから供給された水は天板１０に沿って放射状に流れ、美しい水のベールの外観を呈するので、薬液吐出容器１００Ａの使用感を向上させる点からも好ましい。
【００３３】
このトイレ洗浄用品２００Ａの使用方法としては、まず、薬液Ａが薬液タンク１に収容されている状態で、薬液吐出容器１００Ａを水洗トイレの手洗い付きロータンクの手洗い部２０の排水口２１上に載置し、薬液吐出ノズル４を排水口２１に挿入する。この状態で、薬液吐出ノズル４の先端開口部５には、表面張力と薬液タンク１内の弱い負圧により薬液Ａが保持されている。
【００３４】
なお、ロータンクの手洗い部の排水口２１上にカランが設けられ、薬液タンク１の上方から水が供給される場合について、以下に説明するが、排水口２１上にはカランがなく、したがって、排水口２１に薬液吐出ノズル４を挿入した場合に、薬液タンク１の側方のカランから水が供給される場合でも、この薬液吐出容器１００Ａは使用することができる。
【００３５】
図２に示すように、トイレ洗浄用品２００Ａを手洗い部２０に載置後、水洗トイレの水がフラッシュされ、カランから水が供給されると、水Ｗは、まず、天板１０に沿って放射状に流れ、次いで薬液タンク１の側面に沿って手洗い部２０に流れ、さらに排水口２１に流れ込む。排水口２１に流れ込んだ水の一部は、直接的に薬液吐出ノズル４の先端開口部５を洗うように流れ、多孔質部材１１の表面及び内部を流れ、ロータンク内に流下する。また他の一部は、手洗い部２０に流れ込んだ後、多孔質部材１１に当たり、この水が多孔質部材１１の表面と内部を流れ、薬液吐出ノズル４の先端開口部５を洗い、多孔質部材１１の表面及び内部を流れ、ロータンク内に流下する。したがって、先端開口部５に保持されていた薬液Ａが水Ｗでさらわれ、確実にロータンク内に混入する。そして薬液タンク１からロータンク内に混入した薬液の量に応じて、先端開口部５に付着している水、薬液の希釈液又は空気が直ちに薬液タンク１内に入り、薬液吐出ノズル４の先端開口部５には薬液Ａが保持される。
【００３６】
カランからの給水が止まると薬液吐出ノズル４の先端開口部５に保持されている薬液Ａをさらう水の流れがなくなり、この流れによるロータンク内への薬液Ａの吐出も止まる。その後、水温と気温の関係で薬液タンク１のヘッドスペースが膨張した場合には、随時、薬液Ａがロータンク内に吐出される。
【００３７】
以降、カランからの給水によりこの作用が繰り返され、薬液Ａがロータンク内に混入する。
【００３８】
このようにトイレ洗浄用品２００Ａを使用するにあたり、多孔質部材１１の水通過率は２０％以上であるため、多孔質部材１１が排水口内に流れ込む水の妨げとなって手洗い部２０に薬液を溶解した水が広がることが防止される。また、多孔質部材１１の水通過率が９５％以下であるため、多孔質部材１１に当たった水がその表面と内部を流れ、薬液吐出ノズル４の先端開口部５がこの水で洗われる。このため、図３に示したように、排水口２１の径が大きく、排水口２１に流れ込んだ水のうち、直接的に先端開口部５を洗うように流れる水が殆どなくても、多孔質部材１１に十分に水が当たる限り、排水口の口径の大小、水圧や水量の大小等に関わらず、確実に薬液Ａを吐出させることができる。
【００３９】
本発明の薬液吐出容器を用いたトイレ洗浄用品は、この他種々の態様をとることができる。例えば、図４に示したトイレ洗浄用品２００Ｂのように、多孔質部材１１が薬液吐出ノズル４の先端開口部５に対向する面に凹みを形成してもよい。これにより、多孔質部材１１の周縁部に当たった水も、先端開口部５を洗うために有効に使用することができる。
【００４０】
また、図５に示したトイレ洗浄用品２００Ｃのように、前述のトイレ洗浄用品２００Ａに対して足６を長くし、薬液吐出ノズル４と保持棒１２ｂを短くすることにより、薬液吐出ノズル４の先端開口部５と多孔質部材１１が排水口２１の形成位置と略同一レベルとなるようにしてもよい。ロータンクの種類によっては、排水口からロータンク内に物品が落ちることを防止するため、排水口の下にネット等が張ってあり、排水口内に薬液吐出ノズルを挿入できない場合があるが、このようなロータンクに対しても、このトイレ洗浄用品２００Ｃは、有用となる。
【００４１】
図６は、さらに異なる本発明のトイレ洗浄用品２００Ｄの側面図（ａ）、その多孔質部材１１付近の拡大図（ｂ）、及び底面図（ｃ）である。
【００４２】
このトイレ洗浄用品２００Ｄの薬液吐出容器１００Ｄは、前述の薬液吐出容器Ａに対して、カランから供給された水を薬液吐出ノズル４の方に流し、薬液吐出ノズル４に沿って流下させる水誘導構造として、キャップ３の底部に、薬液吐出ノズル４を中心として放射状に起立した８枚の板状部７をこのキャップ３と一体に設け、薬液吐出ノズル４の周囲には、該薬液吐出ノズル４に沿って先端開口部５付近まで伸びた４枚の水量調整板８を設けたものである。
【００４３】
この板状部７や水量調整板８は、本発明において必要に応じて設けられる。薬液吐出ノズル４を中心として放射状に板状部７を設けることにより、ロータンクの手洗い部２０の形状、手洗水の水量、水圧、手洗い部２０における薬液吐出容器１００Ｄの載置位置等によらず、カランから供給された水を、板状部７に沿わせて薬液吐出ノズル４の方に流し、次いで、薬液吐出ノズル４に沿わせてロータンク内に流下させることができる。また、キャップ３の底面が排水口２１を塞ぐことを防止できる。
【００４４】
水量調整板８を、薬液吐出ノズル４の周囲に設けることにより、薬液吐出ノズル４の先端開口部５にカランからの水Ｗが過剰に当たり続け、薬液Ａの過剰吐出が引き起こされることを防止することができる。
【００４５】
なお、水誘導構造や水量調整板８の態様は、上述の例に限らない。例えば、水誘導構造をなす板状部７は、薬液吐出ノズル４を中心として放射状に起立したものである限り、その形状は平板でも曲板でもよい。板状部７の数は、８枚に限らず複数枚とすることができ、４〜１２枚とすることが好ましい。水量調整板８も４枚に限らず複数枚とすることができ、３〜８枚とすることが好ましい。
【００４６】
また、薬液タンク１や薬液吐出ノズル４等の個々の構成部品は、図示した態様に限らず、種々の形状をとることができる。
【実施例】
【００４７】
実施例１〜１０、比較例１〜３
（薬液吐出容器の作製）
ロータンクの排水口の口径とトイレ洗浄用品の薬液の吐出性能との関係を調べるため、まず、図１の薬液吐出容器１００Ａ（薬液タンク容量１００ｍＬ、薬液吐出ノズルの先端開口部の径２ｍｍ）を作製した。この場合、多孔質部材としては、直径１５ｍｍ、厚み５ｍｍの連続気泡ウレタンフォーム（セル数８±２個／２５ｍｍ）（エバーライト  ＭＦ−８、ブリジストン社）を、薬液吐出ノズルの先端開口部との距離１ｍｍの位置に設けた（実施例１）。また、表１の材料の多孔質部材を用いて同様に薬液吐出容器を作製した（実施例２〜１０）。
【００４８】
また、多孔質部材及びそれを保持する保持部材を設けない以外は実施例１と同様にして、比較例１の薬液吐出容器を作製し、実施例１の連続ウレタンフォームに代えて同サイズのポリエチレンの焼結体、又はパルプ（８５０ｇ／ｍ2 ）を使用し、比較例２、３の薬液吐出容器を作製した。
【００４９】
［表１］
多孔質部材
2005061129.tif 000003
*1：式（１）で求められる水通過率
*2：式（１）中の通過水量
*3：多孔質部材の重量
*4：多孔質部材を水に十分に浸漬し、静かに取り出して測定したときの重量を含水重量とした場合の含水重量と担体重量との差
【００５０】
（トイレ洗浄用品の作製）
表２の薬液を調製し、この８０ｇを各実施例、比較例の薬液吐出容器に充填し、実施例１〜１０、比較例１〜３のトイレ洗浄用品とした。
【００５１】
［表２］
薬液組成                                    （単位：重量％）
ポリオキシエチレンラウリルエーテル(*1)    １０
エタノール                                  ５
青色１号                                    ０．７
香料                                        １．５
ヒドロキシエチルセルロース(*2)              ０．３
塩酸、水酸化ナトリウム              薬剤をpH6.5に調整する量
イオン交換水                                バランス        
(*1)花王社、エマルゲン
(*2)ダイセル社
【００５２】
（評価）
実施例１及び比較例１、２のトイレ洗浄用品を、手洗い部の排水口の口径が３６ｍｍのロータンクと、１６ｍｍのロータンク上にそれぞれ載置し、水洗トイレの水を２分間隔で連続フラッシュ（室温２５℃、水温２３℃）し、目視と吸光度（６３０nm）を測定することにより、薬液の濃度が当初の５％に希釈されて薬効終了に至るまで安定に吐出される回数を調べた。結果を表３に示す。
【００５３】
［表３］
2005061129.tif 000004
【００５４】
表３の結果から、多孔質部材の水通過率が２０〜９５％の範囲にある実施例１〜１０のトイレ洗浄用品によれば、ロータンクの手洗い部の排水口の口径によらず薬液の吐出が安定し、手洗い部に水が溢れることもないが、多孔質部材の無い比較例１のトイレ洗浄用品によれば、排水口の口径が大きい場合に薬液の吐出が不安定になり、また、多孔質部材との水通過率が４．４％の比較例２と水通過率が０．１％の比較例３によれば、排水口の口径が小さい場合に、薬液を溶解した水が手洗い部に溢れ、手洗い部が汚れやすいことが確認できた。なお、比較例２と比較例３において、７１７回、７６５回と回数が多いのは、薬液吐出ノズルの先端開口部と多孔質部材（焼結体、パルプ）との距離が短く、焼結体とパルプの水の通過率が極めて低いことから、カランからの水の流れは薬液吐出ノズルの先端開口部と多孔質部材の１ｍｍの僅かな流路に限られるためと考えられる。これに対し、水通過率の高いウレタンフォームは、ウレタン周囲から自在にカランからの水を導くことができるため、吐出量が多くなると考えられる。
【産業上の利用可能性】
【００５５】
本発明の薬液吐出容器を用いたトイレ洗浄用品は、水洗トイレの手洗い付きロータンクに対し、手洗い部におけるカランや排水口の位置、排水口の口径の大小等に関わらず、使用することができる。
【図面の簡単な説明】
【００５６】
【図１】本発明のトイレ洗浄用品を正面から見た部分切り欠き断面図（ａ）、上面図（ｂ）及び底面図（ｃ）である。
【図２】本発明のトイレ洗浄用品をロータンクの手洗い部に載置し、カランから水が給水されている状態の断面図である。
【図３】本発明のトイレ洗浄用品をロータンクの手洗い部に載置し、カランから水が給水されている状態の断面図である。
【図４】本発明のトイレ洗浄用品の断面図である。
【図５】本発明のトイレ洗浄用品をロータンクの手洗い部に載置し、カランから水が給水されている状態の断面図である。
【図６】本発明のトイレ洗浄用品の側面図（ａ）、その多孔質部材付近の拡大図（ｂ）、及び底面図（ｃ）である。
【図７】薬液吐出容器の斜視図（ａ）、及びロータンクの手洗い部に載置した薬液吐出容器の断面図（ｂ）である。
【図８】排水口の口径の大きい手洗い部に載置した薬液吐出容器の断面図である。
【図９】水通過率の測定方法の説明図である。
【符号の説明】
【００５７】
１    薬液タンク
２    底部開口部
３    キャップ
４    薬液吐出ノズル
５    先端開口部
６    足
７    板状部
８    水量調整板
１１  多孔質部材
１２  多孔質部材の保持部材
１２ａ  保持板
１２ｂ  保持棒
２０    手洗い部
２１    手洗い部の排水口
３０    ロート
３１    ロートの排水口
３２    試験片
１００Ａ、１００Ｂ、１００Ｃ、１００Ｄ    薬液吐出容器
２００Ａ、２００Ｂ、２００Ｃ、２００Ｄ    トイレ洗浄用品
【図１】
2005061129.tif 000005
【図２】
2005061129.tif 000006
【図３】
2005061129.tif 000007
【図４】
2005061129.tif 000008
【図５】
2005061129.tif 000009
【図６】
2005061129.tif 000010
【図７】
2005061129.tif 000011
【図８】
2005061129.tif 000012
【図９】
2005061129.tif 000013